(57)【特許請求の範囲】
【請求項１】
刈刃（１０）と、該刈刃（１０）を駆動する原動機（３１、３２）と、前記刈刃（１０）の一部又は全部を覆うシールドカバー（１１、１２）と、該シールドカバー（１１、１２）に連結された操作棹（５０）と、を備え、前記原動機（３１、３２）が前記シールドカバー（１１、１２）上に搭載保持されるとともに、該シールドカバー（１１、１２）に地面を滑走可能な接地部材（２１、２２）が設けられた携帯型畔用草刈機（１、２）において、
前記シールドカバー（１１、１２）及び前記接地部材（２１、２２）を備えた草刈作業部（５、６）に、地面（Ｍ、Ｎ）を転動可能に車輪（７０、７０’）が設けられるとともに、該車輪（７０、７０’）に渦巻きばね（９０）が配備され、該渦巻きばね（９０）は、前記草刈作業部（５、６）が前進せしめられるときには、前記車輪（７０、７０’）の正転によって付勢力を蓄えるように巻き込まれ、前記草刈作業部（５、６）が後退せしめられるときには、その蓄えられた付勢力によって前記車輪（７０、７０’）を逆転させる方向に付勢するようにされていることを特徴とする携帯型畔用草刈機。
【請求項２】
前記車輪（７０、７０’）と前記渦巻きばね（９０）との間の回転力の伝達を任意に断接し得る断接手段（８０、１１０）を備えていることを特徴とする請求項１に記載の携帯型畔用草刈機。
【請求項３】
前記草刈作業部（５、６）に、前記車輪（７０、７０’）を支持する支軸（２０）が回転自在に支持されるとともに、前記渦巻きばね（９０）の外端部（９１）が固定され、前記支軸（２０）に前記渦巻きばね（９０）の内端部（９２）が固定されるとともに、前記車輪（７０、７０’）が、前記支軸（２０）に着脱可能に装着される前記断接手段としての係止部材（８０）により、前記支軸（２０）に対して一体回動可能に係止されることを特徴とする請求項２に記載の携帯型畔用草刈機。
【請求項４】
前記草刈作業部（５、６）に、前記車輪（７０、７０’）を支持する支軸（２０）が回転自在に支持されるとともに、前記渦巻きばね（９０）の外端部（９１）が固定され、前記支軸（２０）に前記渦巻きばね（９０）の内端部（９２）が固定されるとともに、前記車輪（７０、７０’）が、前記支軸（２０）にワンウェイクラッチ（１１０）を介して外嵌されていることを特徴とする請求項１又は２に記載の携帯型畔用草刈機。
【請求項５】
前記車輪（７０、７０’）は、スパイク（７２）付きであることを特徴とする請求項１乃至４のいずれか一項に記載の携帯型畔用草刈機。
【請求項６】
前記接地部材は、左右一対のそり状部材（２１、２２）からなっていることを特徴とする請求項１に記載の携帯型畔用草刈機。
【請求項７】
前記左右一対のそり状部材（２１、２２）に、それぞれ同一外形の前記車輪（７０、７０、７０’、７０’）が設けられていることを特徴とする請求項６に記載の携帯型畔用草刈機。
【発明の詳細な説明】
【０００１】
【発明の属する技術分野】
本発明は、作業者が手で容易に移動させることができる、比較的小型軽量の携帯型畔用草刈機に係り、特に、高畔の法面に生えている草を刈り取るのに好適なものに関する。
【０００２】
【従来の技術】
従来、畔用草刈機としては、例えば、特公昭６２−６１２９０号公報等にも見られるように、原動機が搭載された車輪付きの機体と、畔の上面（平面）に生えている草を刈り取るためのメイン刈刃と、畔の斜面（法面）に生えている草を刈り取るためのサイド刈刃と、を備え、前記原動機の動力を減速機や伝動軸等からなる動力伝達機構を介して前記メイン刈刃及びサイド刈刃に伝達して、それらを同時に回転駆動させながら、前記機体を畔の上面を走行させることにより、畔の上面及び法面に生えている草を同時に刈り取るようにしたものが一般的である。
【０００３】
かかる従来の一般的な畔用草刈機においては、機体は畔の上面を走行させることを前提としており、また、前記サイド刈刃による法面の刈幅は、そのサイド刈刃の回転直径のみに依存しているため、通常の畔（低畔）には対応できても、段差の大きな高畔においては法面の上下幅が大きく、刈幅が不足する。
この場合、メイン刈刃とサイド刈刃とを同一平面上に位置させて、機体を高畔の法面に沿って走行させれば、該法面の草刈りを行えないこともないが、高畔の法面は、傾斜がきつく、足場も悪いので、極めて危険である。
【０００４】
また、二つの刈刃を備えていること、原動機を搭載した車輪付きの機体を備えていること、及び、原動機の動力を前記両刈刃に伝達するために比較的長大で複雑な動力伝達機構を必要としていること、等のため、装置構成が複雑で重量も重く、装置コストが高くなるとともに、作業性、操作性も良いとはいえず、高畔の法面の草刈りに使用するのは、実際には無理があった。
【０００５】
そこで、本発明の発明者等は、前記した如くの従来の畔用草刈機に伴う問題を解消すべく、先に、刈刃と、該刈刃が取付固定された回転軸と、該回転軸を回転駆動する原動機と、前記刈刃の一部又は全部を覆うシールドカバーと、該シールドカバーに連結された操作桿と、を備え、前記原動機が前記シールドカバー上に搭載保持されるとともに、前記シールドカバーに地面を滑走可能な接地部材が設けられてなる構成の携帯型畔用草刈機を提案した（特願平１１−３００６３０号参照）。
【０００６】
かかる提案の携帯型畔用草刈機においては、高畔の法面の草刈りを行う際には、通常、作業者が操作桿を持って高畔の上面に立ち、原動機により刈刃を回転駆動しながら、該刈刃やシールドケース等からなる草刈作業部を、高畔の最上部に位置させるとともに、接地部材を高畔の法面に着地させ、続いて、前記操作桿で前記草刈作業部を軽く押せば、前記草刈作業部（接地部材）が、法面の最上部から底部に向けて滑走する。このとき、前記回転駆動されている刈刃により、法面の草が縦方向にその回転直径に相当する幅分刈り取られる。
【０００７】
次に、前記のようにして刈り取られた部分の横隣に生えている草を刈り取るべく、前記草刈作業部を一旦法面最上部まで引き上げ、続いて、前記草刈作業部を次に刈り取るべき草が生えている部分（横隣）に移動させて、前記と同様に、前記接地部材を高畔の法面最上部に着地させ、前記操作桿で前記草刈作業部を軽く押して、該草刈作業部（接地部材）を法面の最上部から底部に向けて滑走させ、以下、同様にして、法面に生えている草を縦方向に前記刈刃の回転直径に相当する幅分ずつ刈り取るようにする。
【０００８】
このように、前記提案の携帯型畔用草刈機を使用すれば、作業者は高畔の上面を横移動するだけでよく、法面に降りる必要はないので、高畔法面の草刈り作業を、安全かつ容易に、しかも、迅速に行える。
また、草刈作業部全体の重量を、接地部材を介して地面（草刈り面）で受けるようにされているので、作業者の負担が少なくなるとともに、自走式ではないので、作業を必要に応じて任意に休み休み行え、その結果、草刈り作業に要する労力が軽減される。
【０００９】
【発明が解決しようとする課題】
しかしながら、前記提案の携帯型畔用草刈機においても、作業者の労力軽減の観点から見ると、まだ充分ではなかった。
すなわち、高畦法面の草刈作業を行う場合、前記草刈作業部（接地部材）を、法面の最上部から底部に向けて移動させるときは、作業者が前記草刈作業部を操作桿で軽く押すだけで、該草刈作業部が重力の作用により自然に滑走降下するので、作業者の労力負担は極めて軽微で済むが、前記草刈作業部を高畔底部から最上部に引き上げるときは、地面（法面）と接地部材との摩擦抵抗や接地部材に草の根元部分（刈り取られずに残っている部分）等が引っ掛かること等もあって、前記草刈作業部全体を持ち上げるようにして引き上げなければならず、作業者は大きな労力負担を強いられる。
【００１０】
本発明は、前記した如くの問題を解消すべくなされたもので、その目的とするところは、高畔の法面に生えている草を、安全かつ容易にしかも迅速に刈り取ることができるようにされるとともに、作業者が高畔法面の草刈り作業に負担する労力を、効果的に軽減できるようにされた携帯型畔用草刈機を提供することにある。
【００１１】
【課題を解決するための手段】
前記の目的を達成すべく、本発明に係る携帯型畔用草刈機は、基本的には、刈刃と、該刈刃を駆動する原動機と、前記刈刃の一部又は全部を覆うシールドカバーと、該シールドカバーに連結された操作桿と、を備え、前記原動機が前記シールドカバー上に搭載保持されるとともに、前記シールドカバーに地面を滑走可能な接地部材が設けられる。
【００１２】
そして、前記シールドカバー及び前記接地部材を備えた草刈作業部に、地面を転動可能に車輪が設けられるとともに、該車輪に渦巻きばねが配備され、該渦巻きばねは、前記草刈作業部が前進せしめられるときには、前記車輪の正転によって付勢力を蓄えるように巻き込まれ、前記草刈作業部が後退せしめられるときには、その蓄えられた付勢力によって前記車輪を逆転させる方向に付勢するようにされていることを特徴としている。
【００１３】
本発明に係る携帯型畔用草刈機の好ましい態様では、前記車輪と前記渦巻きばねとの間の回転力の伝達を任意に断接し得る断接手段を備える。
具体的な好ましい態様では、前記草刈作業部に、前記車輪を支持する支軸が回転自在に支持されるとともに、前記渦巻きばねの外端部が固定され、前記支軸に前記渦巻きばねの内端部が固定されるとともに、前記車輪が前記支軸に着脱可能に装着される前記断接手段としての係止部材により、前記支軸に対して一体回動可能に係止される。
【００１４】
他の具体的な好ましい態様では、前記草刈作業部に、前記車輪を支持する支軸が回転自在に支持されるとともに、前記渦巻きばねの外端部が固定され、前記支軸に前記渦巻きばねの内端部が固定されるとともに、前記車輪が、前記支軸にワンウェイクラッチを介して外嵌される。
【００１５】
前記車輪としては、前記草刈作業部（接地部材）の滑走時には、常に地面を捕捉してスリップを生じない、スパイク付きのものを用いることが好ましい。
より好ましい態様では、前記左右一対のそり状部材に、それぞれ同一外形の前記車輪が設けられる。
【００１６】
このような構成とされた本発明に係る携帯型畔用草刈機の好ましい態様においては、高畔の法面の草刈りを行う際には、前記既提案のもの（特願平１１−３００６３０号）と同様に、作業者が操作桿を持って高畔の上面に立ち、原動機により刈刃を駆動しながら、該刈刃、シールドケース、接地部材等からなる草刈作業部を、高畔の最上部に位置させるとともに、前記接地部材を、高畔の法面に着地させ、続いて、前記操作桿で前記草刈作業部を軽く押せば、前記草刈作業部（接地部材）が、法面の最上部から底部に向けて滑走降下する。このとき、車輪が回転（正転）せしめられるとともに、前記草刈作業部に設けられた渦巻きばねが前記車輪の正転によって付勢力を蓄えるように巻き込まれ、前記刈刃により、法面の草が縦方向にその刈幅分刈り取られる。
【００１７】
次に、前記のようにして刈り取られた部分の横隣に生えている草を刈り取るべく、前記草刈作業部を法面を滑らすようにして一旦法面最上部まで引き上げる（後退させる）。このときには、前記滑走降下時の車輪の正転により巻き込まれて付勢力を蓄えている前記渦巻きばねにより、前記車輪が逆転方向（後退方向）に付勢される。
【００１８】
このため、前記草刈作業部の引き上げ時には、前記渦巻きばねの付勢力が引き上げ補助力として働き、前記既提案のもののように、前記草刈作業部全体を持ち上げるようにして引き上げる必要はなく、前記草刈作業部を操作桿で軽く引くだけで、前記車輪の逆転により、前記草刈作業部が法面を昇る方向に押し上げられ、その結果、作業者の労力負担は小さくて済む。
【００１９】
続いて、前記草刈作業部を、次に刈り取るべき草が生えている部分（横隣）に移動させて、前記と同様に、前記接地部材を高畔の法面最上部に着地させ、前記操作桿で前記草刈作業部を軽く押して、該草刈作業部（接地部材）を、法面の最上部から底部に向けて滑走させ、以下、同様にして、法面に生えている草を、縦方向に前記刈刃の刈幅分ずつ刈り取るようにする。
【００２０】
このように、本発明の携帯型畔用草刈機を使用すれば、作業者は高畔の上面を横移動するだけでよく、法面に降りる必要はないので、高畔法面の草刈り作業を安全かつ容易に、しかも、迅速に行えるとともに、前記草刈作業部の引き上げ時には、前記渦巻きばねの付勢力が引き上げ補助力として働くので、作業者が高畔法面の草刈り作業時に負担する労力を、効果的に軽減できる。
【００２１】
【発明の実施の形態】
以下、本発明の実施の形態を図面を参照しながら説明する。
図１及び図２は、それぞれ本発明に係る携帯型畔用草刈機の第一実施形態の斜視図及び平面図を示している。図示実施形態の携帯型畔用草刈機１は、短冊状の刈刃１０と、該刈刃１０が取付固定された回転軸４５（図３）と、前記刈刃１０を前記回転軸４５を介して回転駆動する原動機としての、比較的小型軽量（排気量は約２０ｍＬ）の空冷２サイクルガソリンエンジン３１と、前記刈刃１０を覆う、平面視矩形のシールドカバー１１と、該シールドカバー１１に連結された操作桿５０と、を備え、前記シールドカバー１１の左右両側に、地面を滑走可能な、一対のそり状部材からなる接地部材２１、２１が、前後方向に若干突出した状態で設けられている。
【００２２】
前記シールドカバー１１は、図１に加えて図３を参照すればよくわかるように、前側Ｆの前端部１１ａが斜め上に傾斜せしめられて、比較的大きく開口せしめられ、この開口（前面開口）を閉じるように、前記前端部１１ａの下側に、フラップ１４が、ヒンジ部材１８を介して前後方向に揺動可能に設けられ、また、その後側Ｒに位置する後端部１１ｂは、後面開口を上から半分程度閉じるようになっている。
【００２３】
前記エンジン３１は、前記シールドケース１１に、その上面側中央にボルトナット類４２、４２、…で固定された概略漏斗形状の外装ケース部材３７介して、保持固定されている。
前記原動機３１の動力は、クランク軸、冷却ファン付きフライホイール（以上図示省略）、及び、遠心クラッチドラム４１等からなる出力部材４０から、前記回転軸４５に伝達されるようになっている。
【００２４】
前記回転軸４５は、前記外装ケース部材３７内に一体成形された筒状支持部３８に、ベアリング４６、４８を介して、軸方向には移動を阻止された状態で回転自在に支持されている。
前記回転軸４５の下端部には、上押さえ部材６１と下押さえ部材６２との間に挟まれるようにして前記刈刃１０が配在され、前記上押さえ部材６１、前記刈刃１０、及び、前記下押さえ部材６２は、前記回転軸４５に、その下端部に螺合せしめられたナット６３により、一体回転可能に共締め固定されている。
【００２５】
また、前記操作桿５０は、図１、図２に加えて図６を参照すればよくわかるように、前記シールドカバー１１の左右両側部（前記左右一対の接地部材２１、２１）中央に突設された支持ピン５５、５５に、その先端部５３ａ付近が回動可能に支持された二股状前段部５３と、該二股状前段部５３の共通根元部に外挿可能な管材からなる中段部５２と、この中段部５２に外挿可能な管材からなる後段部５１と、を有し、それ自体周知の手段により、全体長を任意に伸縮可能とされるとともに、前記支持ピン５５、５５を支点にして、上下方向に揺動可能とされている。
【００２６】
また、前記操作桿５０の前記先端部５３ａ、５３ａと、前記接地部材２１、２１の前側Ｆに突設された係止ピン５６、５６と、の間には、引っ張りコイルばね５７、５７が張装されており、前記操作桿５０は、前記引っ張りコイルばね５７、５７により、その把手部とされる前記後段部５１を、左側面（図３参照）から見て下向き（時計回りに）回転させる方向に常時付勢されている。
【００２７】
そして、本実施形態では、前記左右一対のそり状部材からなる前記接地部材２１、２１の前端部付近に、それぞれ、前記接地部材２１、２１が地面を滑走せしめられるとき転動せしめられるように、同一外形の車輪７０、７０が設けられている。
【００２８】
該車輪７０は、図４、図５を参照すればよくわかるように、中央にボス部材７３が溶接等により固着された円板７１と、この円板７１の外周に溶接等に固着された断面コ字状で円環状のスパイク部７２と、からなっており、該スパイク部７２は、内側のものと外側のもので相互に半ピッチずつ位相をずらして対向する一対の星形板部からなっている。
【００２９】
前記車輪７０は、前記接地部材２１の前端部付近に設けられた取付部２３に、その一方の鍔状部２５ｂがボルト類２４、２４、…により取付固定された連結筒状部材２５、この連結筒状部材２５の他方の鍔状部２５ａにボルト類２７、２７、…により取付固定された支持部材２６、及び、この支持部材２６の中央に設けられた収納部２６ａに収納されたボールベアリング３５を介して回転自在に支持された支軸２０に、外嵌されている。
【００３０】
詳細には、前記支軸２０は、前記接地部材２１側（内側）から順次、前記ボールベアリング３５が外嵌された基端側小径部２０ａ、後述する渦巻きばね（ぜんまい）９０が外装された中央大径部２０ｃ、前記車輪７０の前記ボス部材７３が外嵌された自由端側小径部２０ｂを有し、その両端には、それぞれ前記ボールベアリング３５の抜け止め用のナット３６及び前記車輪７０の抜け止め用のフランジ付きボルト３７が螺合せしめられている。
【００３１】
また、前記車輪７０の前記ボス部材７３及び前記支軸２０の前記自由端側小径部２０ｂを径方向に貫くように、係止ピン８０が着脱可能に装着されている。この係止ピン８０の挿入突出端部には、その径方向に、抜け止め用のスプリングピン８１が挿着されている。前記係止ピン８０を装着することにより、前記車輪７０が前記支軸２０と一体に回動せしめられ、前記係止ピン８０を抜くと、前記車輪７０がフリーとなって自由に回動できる状態となる。
【００３２】
前記支軸２０の前記中央大径部２０ｃに外装された前記渦巻きばね９０は、前記支持部材２６と、該支持部２６における前記収納部２６ａとは反対側に突設された短円筒部２６ｂと、前記中央大径部２０ｃの外側端面に溶接等により固定された円板７４と、により画成されたばね室７７内で拡縮するようにされている。
【００３３】
すなわち、前記渦巻きばね９０の輪状外端部９１は、前記支持部材２６における前記ばね室７７の外周側端部に位置する部位に溶接等により固定されたピン９３に、外嵌係止されており、前記渦巻きばね９０の輪状内端部９２は、前記円板７４における前記ばね室７７の内周側端部に位置する部位を通して前記支軸２０の前記中央大径部２０ｃに形成された係止溝２０ｄに挿入されたピン９４に、外嵌係止されている。
【００３４】
したがって、前記渦巻きばね９０は、前記カッター１０、前記シールドカバー１１、前記接地部材２１等で構成される前記草刈作業部５が前進せしめられるとき（前記車輪７０が、図３の左側面視で反時計回りに回転せしめられるとき）には、前記車輪７０の回転（正転）によって付勢力を蓄えるように巻き込まれ、前記草刈作業部５が後退せしめられるときには、その蓄えられた付勢力によって前記車輪７０を逆転させる方向に付勢するようになっている。
【００３５】
このような構成とされた第一実施形態の携帯型畔用草刈機１においては、高畔の法面Ｎの草刈りを行う際には、通常、図６を参照すればよくわかるように、作業者が、前記操作桿５０を持って高畔の上面Ｍに立ち、前記エンジン３１により前記刈刃１０を回転駆動しながら、該刈刃１０、前記シールドカバー１１、前記接地部材２１、２１等からなる前記草刈作業部５を、高畔の法面Ｎ最上部に位置させるとともに、前記接地部材２１、２１を高畔の法面Ｎに着地させ、続いて、前記操作桿５０で前記草刈作業部５を軽く押せば、該草刈作業部５（前記接地部材２１）がその自重で法面Ｎの最上部から底部に向けて滑走降下する。このとき、前記車輪７０が回転（正転）せしめられるとともに、前記草刈作業部５に設けられた前記渦巻きばね９０が、前記車輪７０の正転によって付勢力を蓄えるように巻き込まれ、前記回転駆動されている刈刃１０により、法面Ｎの草が縦方向にその回転直径に相当する刈幅分刈り取られる。
【００３６】
次に、前記のようにして刈り取られた部分の横隣に生えている草を刈り取るべく、前記操作桿５０を引き前記草刈作業部５を法面Ｎ上を滑らすようにして、一旦法面Ｎの最上部まで引き上げる（後退させる）。このときには、前記滑走降下時の前記車輪７０の正転により巻き込まれて付勢力を蓄えている前記渦巻きばね９０により、前記車輪７０が逆転方向（後退方向）に付勢される。
【００３７】
このため、前記草刈作業部５の引き上げ時には、前記渦巻きばね９０の付勢力が引き上げ補助力として働き、前記既提案のもののように、前記草刈作業部５全体を持ち上げるようにして引き上げる必要はなく、前記草刈作業部５を前記操作桿５０で軽く引くだけで、前記車輪７０の逆転により前記草刈作業部５が法面Ｎを昇る方向に押し上げられ、その結果、作業者の労力負担は小さくて済む。
【００３８】
続いて、前記草刈作業部５を、次に刈り取るべき草が生えている部分（横隣）に移動させて、前記と同様に、前記接地部材２１、２１を高畔の法面Ｎ最上部に着地させ、前記操作棹５０で前記草刈作業部５を軽く押して、該草刈作業部５（前記接地部材２１、２１）を法面Ｎの最上部から底部に向けて滑走させ、以下、同様にして、法面Ｎに生えている草を、縦方向に前記刈刃１０の回転直径に相当する幅分ずつ刈り取るようにする。
【００３９】
このように、本実施形態の携帯型畔用草刈機１を使用すれば、作業者は、高畔の上面Ｍを横方向にのみ移動すればよく、法面Ｎに降りる必要はないので、高畔法面Ｎの草刈り作業を、安全かつ容易に、しかも、迅速に行えるとともに、前記草刈作業部５の引き上げ時には、前記渦巻きばね９０の付勢力が引き上げ補助力として働くので、作業者が高畔法面Ｎの草刈り作業時に負担する労力を、効果的に軽減できる。
また、草刈作業部５全体の重量を、接地部材２１、２１を介して地面（草刈り面）で受けるようにされていることからも、作業者の負担が少なくなるとともに、自走式ではないので、作業を必要に応じて任意に休み休み行え、その結果、草刈り作業に要する労力が軽減される。
【００４０】
なお、法面Ｎの長さＬが、前記渦巻きばね９０が完全に巻き込まれる又は巻き戻される長さ以上であるときや、高畔の上面Ｍの草刈り作業を行うとき、あるいは、当該携帯型畔用草刈機１の運搬移送時等においては、前記車輪７０と前記渦巻きばね９０との間の回転力の伝達を行わない方がよい（前記車輪７０が抵抗となる）ので、前記車輪７０と前記渦巻きばね９０との間の回転力の伝達を任意に断接し得る断接手段として働く前記係止ピン８０を引き抜いて、前記車輪７０を自由に回動させるようにすればよい。
【００４１】
図７及び図８は、第二実施形態の携帯型畔用草刈機２の斜視図及び平面図を示しており、この実施形態の携帯型畔用草刈機２においては、先に説明した第一実施形態の前記携帯型畔用草刈機１の各部と同一機能を有する部分乃至対応する部分には同一の符号を付して、重複説明を省略し、相違点を重点的に説明する。
【００４２】
図示の第二実施形態の携帯型畔用草刈機２は、比較的小型軽量（排気量は約２０ｍＬ）の空冷２サイクルガソリンエンジン３２と、刈刃１０を覆う、平面視矩形のシールドカバー１２と、を備え、該シールドカバー１２の左右両側に、地面を滑走可能な、一対のそり状部材からなる接地部材２２、２２が、前後方向に若干突出した状態で設けられている。
【００４３】
前記シールドカバー１２は、図７に加えて図８、図９を参照すればよくわかるように、前側Ｆの前端部１２ａが平面視半円状とされて、その前面全体が開口せしめられ、その後側Ｒに位置する後端部１２ｂは、後面開口を上から半分程度閉じるようになっている。
【００４４】
前記エンジン３２は、前記シールドカバー１２の前部寄りに、回転軸４５が、鉛直線に対して前側Ｆに傾斜した状態で固定支持具２９に保持固定されて下方に突出する筒状支持部１９と、上方に突出する歯車ケースを兼ねる外挿部材３９と、にベアリング４６、４８を介して傾斜軸線Ｏｐの回りに回転自在に支持されており、これより、前記刈刃１０は、地面（畔の上面Ｍ及び法面Ｎ）に対して若干前傾せしめられている。
【００４５】
そして、本実施形態では、前記エンジン３２の出力部材（遠心クラッチドラム）４０の終端部は、出力傘歯車９１が設けられた最終出力軸４０ｃとされ、前記出力傘歯車９１は、前記回転軸４５の上端部に設けられた入力傘歯車９２に噛合せしめられており、前記回転軸４５の前記傾斜軸線Ｏｐに対して、前記エンジン３２及び前記最終出力軸４０ｃの回転軸線Ｏq が、後方に傾斜せしめられている。
【００４６】
前記のように前記刈刃１０を前傾させることにより、倒れている草等が刈りやすくされる。
また、前記最終出力軸４０ｃの前記回転軸線Ｏｑを後傾させたことにより、法面Ｎ上での機体２の前側Ｆへの転倒傾向を効果的に抑えることができる。
【００４７】
そして、本実施形態では、図１０を参照すればよくわかるように、支軸２０の自由端側小径部２０ｂと、車輪７０’のボス部材７３と、の間に、ベアリング１００と、ワンウェイクラッチ１１０と、が介装されており、渦巻きばね９０は、草刈作業部６が前進せしめられるとき（法面Ｎの滑走降下時）には、前記車輪７０’の正転によって付勢力を蓄えるように前記ワンウェイクラッチ１１０を介して巻き込まれ、前記草刈作業部６が後退せしめられるとき（法面Ｎを引き上げるとき）には、その蓄えられた付勢力によって前記車輪７０’を前記ワンウェイクラッチ１１０を介して逆転させる方向に付勢せしめる。さらに、前記渦巻きばね９０が完全に巻き込まれた後は、前記車輪７０は正方向には自由に回転できるようにされるので、法面Ｎの長さＬが前記渦巻きばね９０の設定より大きい場合や、移動時でも支障はない。
【００４８】
このようにされることにより、前記第１実施形態と略同様な作用効果が得られるとともに、当該携帯型畔用草刈機２の運搬や移動時の便宜も図られる。
以上、本発明の実施形態について詳述したが、本発明は、前記実施形態に限定されるものではなく、特許請求の範囲に記載された発明の精神を逸脱しない範囲で、設計において、種々の変更ができるものである。
例えば、渦巻きばねは、片側の車軸にのみ配設してもよく、両側に配設した上で、左右の車軸が連動するようにせしめてもよい。
【００４９】
【発明の効果】
以上の説明から理解されるように、本発明によれば、高畔の草刈作業を行うにあたって、作業者は、高畔の上面を横に移動するだけでよく、法面に降りる必要はないので、高畔法面の草刈り作業を安全かつ容易に、しかも、迅速に行えるとともに、草刈作業部の引き上げ時には、渦巻きばねの付勢力が引き上げ補助力として働くので、作業者が高畔法面の草刈り作業に負担する労力を効果的に軽減できる。
【００５０】
また、草刈作業部全体の重量を接地部材を介して地面（草刈り面）で受けるようにされているので、作業者の負担が少なくなるとともに、自走式ではないので、作業を必要に応じて任意に休み休み行え、その結果、草刈り作業に要する労力が軽減される。
【図面の簡単な説明】
【図１】本発明に係る第一実施形態の携帯型畔用草刈機の草刈作業部を示す、左後方より見た斜視図。
【図２】図１に示される草刈作業部の要部平面図。
【図３】図２のIII −III 矢視断面図。
【図４】図２のIV−IV矢視断面図。
【図５】図４のＶ−Ｖ矢視断面図。
【図６】図１に示される携帯型畔用草刈機を使用して高畔の法面草刈作業状態の説明に供される図。
【図７】本発明に係る第二実施形態の携帯型畔用草刈機の草刈作業部を示す、左後方より見た斜視図。
【図８】図７に示される草刈作業部の要部平面図。
【図９】図８のＩＸ−ＩＸ矢視断面図。
【図１０】図８のＸ−Ｘ矢視断面図。
【符号の説明】
１、２  携帯型畔用草刈機
５、６  草刈作業部
１０    刈刃
１１、１２  シールドカバー
２０  支軸
２１、２２  接地部材
３１、３２  空冷２サイクルガソリンエンジン（原動機）
５０  操作棹
７０、７０’車輪
７２  スパイク
９０  渦巻きばね
８０  係止ピン（断接手段）
９１  外端部
９２  内端部
１１０  ワンウェイクラッチ（断接手段）
Ｍ    地面（高畔の上面）
Ｎ    地面（高畔の法面）
【図１】
0003689611.tif 000002
【図２】
0003689611.tif 000003
【図３】
0003689611.tif 000004
【図４】
0003689611.tif 000005
【図５】
0003689611.tif 000006
【図６】
0003689611.tif 000007
【図７】
0003689611.tif 000008
【図８】
0003689611.tif 000009
【図９】
0003689611.tif 000010
【図１０】
0003689611.tif 000011